(57)【要約】      （修正有）【課題】把手付き組み立て紙箱において、組み立て時、既に完成された把手が上蓋に付いており、更に従来方式のように前後の把手を合わせたり、把手両端部のフックを係止板に挿通したりする事なく、蓋の開閉が簡単に出来、外観もすっきりとした把手付き組み立て箱を提供する。【解決手段】上蓋天板６に部分的に切り起こして形成する手提げ用把手２０、２１を設け、天板の一辺が後側壁先端に折り筋２４を介して繋がっており、この折り筋をヒンジとする片開き上蓋を形成する紙箱とする。【選択図】図１０
0003132839.tif 000002
【実用新案登録請求の範囲】
【請求項１】
把手付き組み立て紙箱に於いて、上蓋天板に部分的に切り起こして形成する手提げ用把手を設け、該天板の一辺が後側壁先端に折り筋を介して繋がっており、この折り筋をヒンジとする片開き上蓋を形成している事を特徴とする把手付き組み立て紙箱。
【請求項２】
片開き上蓋の天板のヒンジ辺を除く３辺には上蓋側壁が延設されており、両サイドの上蓋側壁には上蓋前側壁両端の天板とのコーナーから４５度に斜めに折り筋が入れられ、上蓋前側壁及び両サイドの上蓋側壁が上蓋内側に折り畳めるようにした事を特徴とする請求項１記載の把手付き組み立て紙箱。
【請求項３】
請求項２記載の上蓋前側壁上部に上蓋天板に沿って切れ込みを入れ、箱本体の前側壁上端に延設したフラップの一部を差し込み、上蓋と箱本体とをロックするようにした事を特徴とする請求項１記載の把手付き組み立て紙箱。
【考案の詳細な説明】
【技術分野】
【０００１】
本考案は、ケーキなどを収納携帯する把手付き組み立て紙箱に関し、特に把手と上蓋を一体にして上蓋の開閉が出来る把手付き組み立て紙箱に関する。
【背景技術】
【０００２】
従来、箱自体の流通及び保管等の便宜から組み立て式で携帯用の把手付き紙箱が多く使われてきた。特にサービス箱と呼ばれる数個のケーキを収納する安価な紙箱に於いては、箱を起立状態にして、前及び上、又は上からケーキ等を収納後、前側壁（前開きでは前蓋となる）及び後側壁先端に延設された前後上蓋のそれぞれの先端に延設された把手を中央で合わせ、箱を起立させた状態で把手の両端に形成したフック部に、左右側壁から延設した係止孔付きの係止板を挿通係止することで、前後上蓋と把手の係止固定を行って箱を組み立てるようにしている（例えば、特許文献１参照）。
【０００３】
しかしこの従来方式は、上蓋及び把手が前後に分かれているため、ケーキ等の収納後、前後の把手面をピッタリ合わせ、合わせた状態を保ちながら左右側壁先端に延設された係止板に把手両端に形成されたフック部を挿通し、上蓋及び把手の係止を終了するという複雑な方法をとらねばならず、煩わしい作業となっていた。
【０００４】
更に、把手の係止後、即ち蓋閉め後は把手が上蓋中央部に直立しているため、重ね置きや、重ねて袋に入れて持ち歩く時は邪魔になる。この対策としては係止板に様々な工夫を入れて、理屈上は把手を倒せる事になっているが把手と共に係止板も倒すため反発力も強く、把手を倒すための複雑さ及び反発力の強さなどで、実際には殆ど使われないのが実体であった（例えば、特許文献２参照）。
【０００５】
また、従来方式では、上蓋が前後に半分づつ分かれていたため、保冷体の収納ケースを
天面、即ち上蓋の裏面に設ける事は事実上不可能であった。
【特許文献１】特許第２５４６７８７
【特許文献２】実公平７−１４１８１
【考案の開示】
【考案が解決しようとする課題】
【０００６】
解決しようとしている課題は、把手付き組み立て紙箱において、組み立て時、既に完成された把手が上蓋に付いており、更に従来方式のように前後の把手を合わせたり、把手両端部のフックを係止板に挿通したりする事なく、蓋の開閉が簡単に出来、外観もすっきりとした把手付き組み立て箱を提供する事にある。
【課題を解決するための手段】
【０００７】
第一の課題解決手段は、把手付き組み立て紙箱に於いて、上蓋天板に部分的に切り起こして形成する手提げ用把手を設け、該天板の一辺が後側壁先端に折り筋を介して繋がっており、この折り筋をヒンジとする片開き上蓋を形成している事を特徴とする把手付き組み立て紙箱とする。
【０００８】
第二の課題解決手段は、片開き上蓋の天板のヒンジ辺を除く３辺には上蓋側壁が延設されており、両サイドの上蓋側壁には上蓋前側壁両端の天板とのコーナーから４５度に斜めに折り筋が入れられ、上蓋前側壁及び両サイドの上蓋側壁が上蓋内側に折り畳めるようにした事を特徴とする第一の課題解決手段記載の把手付き組み立て紙箱とする。
【０００９】
第三の課題解決手段は、第二の課題解決手段記載の上蓋前側壁上部に天板に沿って切れ込みを入れ、箱本体の前側壁上端に延設したフラップの一部を差し込み、上蓋と箱本体とをロックするようにした第一の課題解決手段記載の把手付き組み立て紙箱とする。
【考案の効果】
【００１０】
考案の効果は次の通りである。即ち、上及び前開き又は上開きの組み立て紙箱に於いては従来、前後に分かれた上蓋に付いた把手を合わせ、合わせた把手端を左右の側壁から伸びる係止板に挿通するなどという、箱の起立後もやっかいな作業が必要であった。本考案によれば、上及び前開き又は上開きの箱でありながら、上蓋は前後に分かれておらず、把手は上蓋天板に完成状態であるため、ケーキなどの収納後の蓋締め作業は大変簡単になる。又、把手は起立状態も、寝かせた状態もどちらでも使えるため、積み重ねも簡単に出来、従来の上及び前開き又は上開き箱では事実用出来なかった上蓋裏面には保冷体収納ケースを設ける事も可能となる。デザイン的にもすっきりしている。
【考案を実施するための最良の形態】
【００１１】
以下、本考案の実施例を図面に基づいて詳述する。図８は本考案による紙箱の起立した状態（上蓋を閉める前、上蓋が開いている状態）の斜視図である。上蓋は天板６の端辺が後側壁２と折り筋（ヒンジ）２４で繋がっている。図９は上蓋を閉めた完成状態の紙箱を示す斜視図である。上蓋のロック用切り込み４８に前側壁３及びフラップ１８の一部からなるロック用差込１９の差込先端１９ａを差し込んで、上蓋と本体箱とをロックした状態の斜視図である。図１０は天板６の把手２０、２１を起こした状態を示す斜視図である。把手２０、２１を起こすことにより天板６の裏面の把手切り起こし部を覆う防塵シート５０（斜線）が見えている。
【００１２】
図１は本考案紙箱の防塵シート５０を貼る前の展開図である。図１では実線が紙切断を、点線が折り筋を示し（折り筋２４は上蓋のヒンジを兼ねる）、１枚の紙からなる。本図では折り筋（ヒンジ）２４より上部に書かれた部分が上蓋となる。図２は上蓋となる天板６に設けられた把手２０、２１を覆う防塵シート５０（斜線で示す）を把手部を除いた周囲で接着した状態を示す。分かりやすくするため、防塵シート５０の下になる把手を点線で示した。
【００１３】
図３は図２の防塵シート５０が貼られた状態に於いて、上蓋前側壁１５の糊代フラップ１６、１７を折り筋３４、３５で上蓋前側壁１５のに上に折り畳み、上蓋側壁１１（糊代１１ａ）、１２（糊代１２ａ）を折り筋２８、２９で防塵シート５０が貼られた天板６の上に折り畳み、糊代１１ａ、１２ａを更に折り筋３９、４０で斜めに折り畳み、補助側壁７、８を折り筋３０、３１で側壁２の上に折り畳み、フラップ１３（１３ａ）、１４（１４ａ）及びサイドフラップ９、１０を延設した左右側壁４（４ａ）、５（５ａ）を折り筋４６、４７で底板１の上に折り畳み、更にフラップ１３と側壁４ａ及びフラップ１４と側壁５ａを折り筋３７、３８で側壁４及び側壁５の上に斜めに折り畳んだ状態を示す。尚、側壁４及び付帯部品を先に折り、その上に後から側壁５及び付帯部品を折り畳んだ状態を示す平面図である。
【００１４】
図３に於いて、糊代フラップ１６、１７が折り畳まれた状態の上蓋前側壁１５を、折り筋２５で防塵シート５０側に折り畳み、糊代フラップ１６と糊代１１ａを、糊代フラップ１７と糊代１７を接着する。図４はその状態を示す平面図である。
【００１５】
図４に於いて、折り筋２３より下側をそっくり折り筋２３より上側に折り畳み、その時、折り筋３７、３８で折り畳んだ側壁４、５の部分である４ａ、５ａと補助側壁７、８とを接着する。図５はその状態を示す平面図である。即ち、この時点で、本考案による紙箱の折り畳んだ状態が完成した。出荷形態である。  
【００１６】
図６は、図５に於いて、上述した箇所の接着が終了した状態から、折り筋２３をセンターにして箱を開き始めた状態を示す。上蓋は上蓋側壁を起こし、上蓋としての組み立てが終了している。折り筋２３をセンターにして紙箱を開いていくと、側壁４、５が立ち上がってきて、それにつれて側壁の部分である４ａ、５ａと接着している補助側壁７、８が引っ張られ、補助側壁８の足４３が切れ込み４５から外れて切れ込み４７の方に移動しつつある状態を示す斜視図。
【００１７】
図７は前蓋（兼前側壁）３及び上蓋は開いているが起立した状態を示す斜視図。補助側壁の足４３を切り込み４７に差し込んだ状態を示す。図８は前蓋（兼、前側壁）３を閉めた状態の斜視図を示す。図９はヒンジ２４を支点にして上蓋を閉め、完成した箱の斜視図。図１０は把手２０、２１を起こした箱の斜視図を示す。本考案によれば、防塵シートを２重にする事で保冷体入れを上蓋天面に容易に設ける事が出来る事を理解できるであろう。
【図面の簡単な説明】
【００１８】
【図１】展開図（防塵シートなし）
【図２】展開図（防塵シート貼り済み）
【図３】箱作成途中の折り図
【図４】箱作成途中の折り図（上蓋折り畳み）
【図５】折り畳み完成図
【図６】箱組み立て途中斜視図１
【図７】箱組み立て途中斜視図２
【図８】箱組み立て途中斜視図３
【図９】箱組み立て完了斜視図１
【図１０】箱組み立て完了斜視図２
【符号の説明】
【００１９】
１              底板
２              後側壁
３              前蓋（兼、前側壁）
４（４ａ）      側壁
５（５ａ）      側壁
６              上蓋天板
７、８          補助側壁
９              サイドフラップ
１０（１０ａ）  保冷体入れ
１１（１１ａ）  上蓋側壁
１２（１２ａ）  上蓋側壁
１３、１４      フラップ
１５            上蓋前側壁
１６、１７      糊代フラップ
１８            フラップ
１９（１９ａ）  ロック片
２０、２１      把手
２２〜４１      折り筋（２４は蓋ヒンジ兼用）
４２、４３      補助側壁足
４４〜４８      切れ込み
５０            防塵フィルム（斜線で示す）
【図１】
0003132839.tif 000003
【図２】
0003132839.tif 000004
【図３】
0003132839.tif 000005
【図４】
0003132839.tif 000006
【図５】
0003132839.tif 000007
【図６】
0003132839.tif 000008
【図７】
0003132839.tif 000009
【図８】
0003132839.tif 000010
【図９】
0003132839.tif 000011
【図１０】
0003132839.tif 000012